(57)【要約】      （修正有） 【課題】  充電器に接続して充電を行った状態で、電子機器の動作モードを簡単に切り替えられるようにすること。  【解決手段】  デジタルカメラＤの接続検出部１３が、コネクタ１２０と、クレイドルＣのコネクタ３０６との接続を検出すると、クレイドルＣの供給電圧で充電池１５の充電を行う。クレイドルＣの角度センサー３５は、クレイドルの傾斜角度を検出する。そして、デジタルカメラＤの制御部１は、クレイドルＣの角度センサー３５により検出された傾斜角度に基づいて転置方向を判別する。転置方向が縦方向であると判別した場合には、そのまま充電池１５の充電を継続する。また、横方向であると判別した場合には、メモリ５に記憶された撮影画像を読み出して、その撮影画像を表示部１１に順次表示させることでアルバムモードに切り替える。【選択図】図５
2006320063.tif 000002
【特許請求の範囲】
【請求項１】
表示手段及び充電池を備えた電子機器と、前記充電池の充電を行い当該電子機器に接続可能な充電器とを有する充電システムにおいて、
前記電子機器は、
前記充電器との接続を検出する検出手段と、
当該電子機器の転置方向を判別する判別手段と、
前記検出手段によって前記充電器との接続が検出された際に、前記判別手段により判別された転置方向に基づいて前記表示手段の表示態様を切り替える制御を行う表示制御手段と、
を備えることを特徴とする充電システム。
【請求項２】
前記電子機器は、メディアファイルを記憶する記憶手段を更に備え、
前記表示制御手段は、
前記判別手段により判別された転置方向に基づいて、前記表示手段の表示態様を前記記憶手段により記憶されたメディアファイルの再生表示に切り替えるメディア表示制御手段を有することを特徴とする請求項１に記載の充電システム。
【請求項３】
前記電子機器は、被写体を撮像して撮影画像を取得する撮像手段を更に備え、
前記記憶手段は、前記撮影画像のメディアファイルを記憶する撮影画像記憶手段を有することを特徴とする請求項２に記載の充電システム。
【請求項４】
前記充電器は、電波により時刻情報を受信する時刻情報受信手段を更に備え、
前記表示制御手段は、
前記判別手段により判別された転置方向に基づいて、前記表示手段の表示態様を前記時刻情報受信手段により受信された時刻情報の表示に切り替える時刻表示制御手段を有することを特徴とする請求項１〜３の何れか一項に記載の充電システム。
【請求項５】
前記充電器は、電波により時刻情報を受信する時刻情報受信手段を更に備え、
前記表示制御手段は、
前記時刻情報受信手段により受信された時刻情報を、前記判別手段により判別された転置方向に基づいた表示態様で切り替えて前記表示手段に表示させる時刻切替表示制御手段を有することを特徴とする請求項１〜３の何れか一項に記載の充電システム。
【請求項６】
前記充電器は、放送受信手段を更に備え、
前記判別手段により判別された転置方向に基づいて、前記表示手段の表示態様を前放送受信手段により受信された映像に表示に切り替える放送表示制御手段を有することを特徴とする請求項１〜５の何れか一項に記載の充電システム。
【請求項７】
前記充電器は、前記電子機器の傾斜角度を検出する角度検出手段を更に備え、
前記表示制御手段は、この角度検出手段により検出された傾斜角度に基づいて前記表示手段の表示態様を切り替える制御を行う表示切替制御手段を有することを特徴とする請求項１〜６の何れか一項に記載された充電システム。
【請求項８】
前記表示切替制御手段は、
前記角度検出手段により検出された傾斜角度に基づいて、前記時刻情報受信手段により受信された時刻情報の表示と、前記放送受信手段により受信された映像の表示とを切り替えて前記表示手段に表示させる傾斜角切替制御手段を有することを特徴とする請求項７に記載の充電システム。
【発明の詳細な説明】
【技術分野】
【０００１】
本発明は、表示手段及び充電池を備えた電子機器と、前記充電池の充電を行い当該電子機器に接続可能な充電器とを有する充電システムに関する。
【背景技術】
【０００２】
近年のデジタルカメラやＰＤＡ（Personal Digital Assistant）、携帯電話等の各種電子機器は、文字データの他に静止画像や動画像の映像データ（以下、静止画像及び動画像の映像データを総称して「メディアファイル」という。）の再生表示も可能である。
【０００３】
また、近年の電子機器は、多機能化が進み、様々な動作モードの切り替えが可能である。例えば、デジタルカメラは、被写体の撮影を行う撮影モードの他に、撮影した静止画像や動画像をメモリに記憶しておいて再生表示する再生モードがある。ユーザは、撮影モードに切り替えて撮影を行ったり、再生モードに切り替えて静止画像や動画像の閲覧を行ったりする。
【０００４】
このような電子機器への電力供給は、当該電子機器内に設けられた充電池から行われるため、定期的に充電池の充電を行わなければならない。しかし、その充電の度に、充電池を電子機器内から取り出して充電を行うのは面倒である。
【０００５】
そこで、電子機器をそのまま設置するだけで充電池への充電を可能にした充電器が考案された。その充電器の１つとしては、例えば、デジタルカメラを所定の角度に位置決めして支持し、姿勢検出用スイッチを用いてデジタルカメラの姿勢状態を識別し、再生モードの姿勢である場合にはユーザの電源スイッチのオン／オフを無効化するクレイドル装置が知られている（特許文献１参照）。
【特許文献１】特開２００４−１７９８５８号公報
【発明の開示】
【発明が解決しようとする課題】
【０００６】
このような充電器を用いれば、ユーザは、充電器に電子機器を設置して充電を行いながら、画像の閲覧等を行うことができる。しかし、画像の閲覧に際して、その動作モードを再生モードに切り替えておく必要があるため、ユーザは、充電器に設置した電子機器を充電器ごと持ち上げるか、クレイドル装置から電子機器を取り外すといった動作を一旦行ってからモードの切り替えなければならない。
【０００７】
このモードの切り替え操作は、例えば、メニュ画面を表示させて、そのメニュ画面の設定を変えるといったようにその操作は煩雑である。特許文献１のデジタルカメラのようにモード切替ボタンを操作しモードの切り替えを行うこともできるが、近年の電子機器は小型化の傾向があるため、その操作ボタン自体も小型化されている。このため、モードの切り替えを行うには、クレイドル装置に接続した電子機器を持ち上げたり、向きを変えたりして当該ボタンを見つけた上でその小さいボタンを操作しなければならない。
【０００８】
また、特許文献１のクレイドル装置は、デジタルカメラの姿勢状態が、再生モードの姿勢である撮影モードの姿勢であるかを識別して、その識別結果に応じた処理を行うが、デジタルカメラが再生モードの姿勢であったとしても、デジタルカメラの動作モードが再生モードに切り替えられているとは限らない。このため、撮影モードやＰＣカメラモードといった他の動作モードに設定されている場合には、結局はモード切り替えボタンの切り替え操作して再生モードに切り替えなければならない。
【０００９】
本発明は、上述した課題に鑑みて為されたものであり、その目的とするところは、充電器に接続して充電を行った状態で、電子機器の動作モードを簡単に切り替えられるようにすることである。
【課題を解決するための手段】
【００１０】
以上の課題を解決するために、請求項１に記載の発明は、
表示手段及び充電池を備えた電子機器と、前記充電池の充電を行い当該電子機器に接続可能な充電器とを有する充電システムにおいて、
前記電子機器は、
前記充電器との接続を検出する検出手段と、
当該電子機器の転置方向を判別する判別手段と、
前記検出手段によって前記充電器との接続が検出された際に、前記判別手段により判別された転置方向に基づいて前記表示手段の表示態様を切り替える制御を行う表示制御手段と、
を備えることを特徴としている。
【００１１】
請求項２に記載の発明は、請求項１に記載の充電システムであって、
前記電子機器は、メディアファイルを記憶する記憶手段を更に備え、
前記表示制御手段は、
前記判別手段により判別された転置方向に基づいて、前記表示手段の表示態様を前記記憶手段により記憶されたメディアファイルの再生表示に切り替えるメディア表示制御手段を有することを特徴としている。
【００１２】
請求項３に記載の発明は、請求項２に記載の充電システムであって、
前記電子機器は、被写体を撮像して撮影画像を取得する撮像手段を更に備え、
前記記憶手段は、前記撮影画像のメディアファイルを記憶する撮影画像記憶手段を有することを特徴としている。
【００１３】
請求項４に記載の発明は、請求項１〜３の何れか一項に記載の充電システムであって、
前記充電器は、電波により時刻情報を受信する時刻情報受信手段を更に備え、
前記表示制御手段は、
前記判別手段により判別された転置方向に基づいて、前記表示手段の表示態様を前記時刻情報受信手段により受信された時刻情報の表示に切り替える時刻表示制御手段を有することを特徴としている。
【００１４】
請求項５に記載の発明は、請求項１〜３の何れか一項に記載の充電システムであって、
前記充電器は、電波により時刻情報を受信する時刻情報受信手段を更に備え、
前記表示制御手段は、
前記時刻情報受信手段により受信された時刻情報を、前記判別手段により判別された転置方向に基づいた表示態様で切り替えて前記表示手段に表示させる時刻切替表示制御手段を有することを特徴としている。
【００１５】
請求項６に記載の発明は、請求項１〜５の何れか一項に記載の充電システムであって、
前記充電器は、放送受信手段を更に備え、
前記判別手段により判別された転置方向に基づいて、前記表示手段の表示態様を前放送受信手段により受信された映像に表示に切り替える放送表示制御手段を有することを特徴としている。
【００１６】
請求項７に記載の発明は、請求項１〜６の何れか一項に記載の充電システムであって、
前記充電器は、前記電子機器の傾斜角度を検出する角度検出手段を更に備え、
前記表示制御手段は、
この角度検出手段により検出された傾斜角度に基づいて前記表示手段の表示態様を切り替える制御を行う表示切替制御手段を有することを特徴としている。
【００１７】
請求項８に記載の発明は、請求項７に記載の充電システムであって、
前記表示切替制御手段は、
前記角度検出手段により検出された傾斜角度に基づいて、前記時刻情報受信手段により受信された時刻情報の表示と、前記放送受信手段により受信された映像の表示とを切り替えて前記表示手段に表示させる傾斜角切替制御手段を有することを特徴としている。
【発明の効果】
【００１８】
請求項１に記載の発明によれば、電子機器が充電器に接続された場合に、電子機器の転置方向に基づいて表示手段の表示態様を切り替える。このため、ユーザは、電子機器を充電器に接続した状態で、電子機器の転置方向を換える、即ち、電子機器を横置き又は縦置きに置き換えるといった動作を行うだけで、表示態様を切り替えることができる。従って、ボタン操作等を行うことなく、電子機器の動作モード（表示態様）を簡単に切り替えられるようになる。
【００１９】
請求項２に記載の発明によれば、請求項１に記載の発明と同様の効果が得られるのは無論のこと、表示手段の表示態様を記憶手段に記憶されたメディアファイルの再生表示に切り替えることができる。
【００２０】
請求項３に記載の発明によれば、請求項１又は２に記載の発明と同様の効果が得られるのは無論のこと、表示手段の表示態様を撮像画像の再生表示に切り替えることができる。
【００２１】
請求項４に記載の発明によれば、請求項１〜３の何れか一項に記載の発明と同様の効果が得られるのは無論のこと、表示手段の表示態様を時刻情報の表示に切り替えることができる。
【００２２】
請求項５に記載の発明によれば、請求項１〜３の何れか一項に記載の発明と同様の効果が得られるのは無論のこと、時刻情報の表示を、転置方向に基づいた表示態様で切り替えて表示することができる。
【００２３】
請求項６に記載の発明によれば、請求項１〜５の何れか一項に記載の発明と同様の効果が得られるのは無論のこと、表示手段の表示態様を放送受信手段により受信された映像の表示に切り替えることができる。
【００２４】
請求項７に記載の発明によれば、請求項１〜６の何れか一項に記載の発明と同様の効果が得られるのは無論のこと、検出された傾斜角度に基づいて表示手段の表示態様を切り替える。このため、ユーザは、充電システムの傾斜角度を変えるだけで、表示態様を切り替えることができる。従って、ボタン操作等を行うことなく、電子機器の動作モード（表示態様）を簡単に切り替えられるようになる。
【００２５】
請求項８に記載の発明によれば、請求項７の何れか一項に記載の発明と同様の効果が得られるのは無論のこと、検出された傾斜角度に基づいて、表示手段の表示態様を時刻情報の表示と映像の表示とに切り替えることができる。
【発明を実施するための最良の形態】
【００２６】
〔第１実施形態〕
以下、本発明の充電システムを、デジタルカメラと、クレイドル装置（以下、「クレイドル」と略す。）とで構成した場合の第１実施形態について図１〜図７を参照して詳細に説明する。
【００２７】
〔デジタルカメラの概観〕
図１は、デジタルカメラＤの概観の一例を示す図であり、同図（ａ）は正面図、（ｂ）は左側面図、（ｃ）は右側面図、（ｄ）は上面図、（ｅ）は下面図、（ｆ）は背面図である。以下の説明において、デジタルカメラＤの長手方向を「縦方向」とし、縦方向に直交する方向を「横方向」とする。
【００２８】
デジタルカメラＤは、図１に示すように、撮影レンズ１００と、ディスプレイ１０２と、コネクタ１２０と、フラッシュＬ３と、固定ピン挿入孔１２２及び１２４と、キー操作部１９（図５参照）とを備えて構成されている。
【００２９】
撮影レンズ１００は、ガラスやプラスチック等で構成され、複数のレンズを組み合わせることによりズーム機能等が実現される。ユーザは、ズームキー１１２を操作してズーム率を変更することができる。ディスプレイ１０２は、バックライト付きのカラーＬＣＤ（Liquid Crystal Display）やＥＬＤ（Electronic Luminescent Display）で構成され、デジタルカメラＤの操作に係る各種情報や撮影画像等を表示する。
【００３０】
キー操作部１９には、シャッターキー１０４、撮影キー１０６、再生キー１０８、ジョグダイヤル１１０、ズームキー１１２、カーソルキー１１４、メニューキー１１６及び表示設定キー１１８が備えられている。
【００３１】
カーソルキー１１４及びジョグダイヤル１１０は、画面のスクロールや選択操作を行うための操作キーであり、メニューキー１１６は、デジタルカメラＤの各種設定を行うためのメニュ画面を表示させるための操作キーである。ユーザは、カーソルキー１１４の押下操作や、ジョグダイヤル１１０を回転操作によってメニュ画面に表示された設定内容を変更する。表示設定キー１１８は、ディスプレイ１０２に表示させる各種情報を変更するための操作キーである。
【００３２】
撮影キー１０６は、デジタルカメラＤの動作モードを撮影モードに切り替えるための操作キーであり、撮影キー１０６が押下されると、撮像部２１が駆動して、デジタルカメラＤが撮影待機状態となる。
【００３３】
再生キー１０８は、動作モードを再生モードに切り替えるための操作キーであり、再生キー１０８が押下されると、メモリ５に記憶された撮影画像がディスプレイ１０２に再生表示される。また、撮影キー１０６及び再生キー１０８は、デジタルカメラＤの電源を投入／遮断（ＯＮ／ＯＦＦ）するための電源スイッチを兼ねている。
【００３４】
ユーザが撮影キー１０６を押下すると、ディスプレイ１０２には、撮影レンズ１００を透過した被写体の像が動画表示（いわゆるファインダー画像の表示）される。このとき、ディスプレイ１０２は、ユーザが被写体の構図を確認するための電子ファインダーとして機能する。ユーザは、シャッターキー１０４を押下してシャッターを切ると、その押下時の瞬間の画像がディスプレイ１０２に表示される。
【００３５】
ユーザが再生キー１０８を押下する、デジタルカメラＤは再生モードに切り替わって、メモリ５に記憶された撮影画像の縮小画像の一覧がディスプレイ１０２に表示される。そして、カーソルキー１１４及びジョグダイヤル１１０を操作して所望の縮小画像を選択すると、その縮小画像がディスプレイ１０２に拡大表示（プレビュー表示）される。
【００３６】
再生モードには、ユーザにより選択された撮影画像を表示する選択表示モードの他に、アルバムモードがある。アルバムモードは、メモリ５に記憶された撮影画像を一定時間おき（例えば、３秒おき）に読み出して順次表示する、所謂スライドショー形式で表示するモードである。
【００３７】
ユーザは、メニューキー１１６を操作して表示させたメニュ画面において、アルバムモードに切り替えるが、デジタルカメラＤをクレイドルＣに装着して充電している際には、その装着した状態でデジタルカメラＤを横置きすることでアルバムモードに切り替えることができる。
【００３８】
コネクタ１２０は、クレイドルＣから供給される電源の供給ラインや、クレイドルＣとのデータ通信を行う通信インターフェイスとして機能し、例えば、ＵＳＢ（universal serial bus）やＩＥＥＥ１３９４等により構成されている。デジタルカメラＤがクレイドルＣと、クレイドルＣのコネクタ３０６は、嵌合可能なように形成され、デジタルカメラＤがクレイドルＣに載置された際に、デジタルカメラＤのコネクタ１２０と、クレイドルＣのコネクタ３０６とが嵌合して、電気的に接続されて電源の供給やデータ通信が行われる。
【００３９】
固定ピン挿入孔１２２及び１２４は、クレイドルＣのデジカメ固定ピン３１２及び３１４それぞれが挿入可能なように形成された孔である。ユーザは、デジタルカメラＤをクレイドルＣに載置する際には、デジカメ固定ピン３１２を固定ピン挿入孔１２２に、デジカメ固定ピン３１４を固定ピン挿入孔１２４に挿入する。このとき、デジタルカメラＤは、クレイドルＣに固定される。
【００４０】
〔クレイドルの概観〕
図２は、クレイドルＣの概観の一例であり、同図（ａ）は正面図、（ｂ）は左側面図、（ｃ）は右側面図、（ｄ）は上面図、（ｅ）は底面図、（ｆ）は背面図である。尚、以下の説明において、図２（ａ）及び（ｆ）に対する水平方向をＸ方向、垂直方向をＺ方向とし、図２（ｂ）及び（ｃ）に対する水平方向をＹ方向とする。
【００４１】
クレイドルＣは、フォトボタン３００と、切替ボタン３０２と、ＵＳＢボタン３０４と、コネクタ３０６と、ＵＳＢコネクタ３０８と、電源コネクタ３１０と、デジカメ固定ピン３１２及び３１４とを備えて構成される。
【００４２】
クレイドルＣは、デジタルカメラＤの右側面部分が着脱可能なように形成され、また、図２（ｄ）に示すように、その左右側面が当該クレイドルＣの内側に傾斜するように略台形の箱形に形成されている。
【００４３】
フォトボタン３００は、メモリ５に記憶された撮影画像をディスプレイ１０２に表示させるためのボタンであり、切替ボタン３０２は、デジタルカメラＤへの電源の供給のオン／オフを切り替えるためのボタンであり、ＵＳＢボタン３０４は、パソコンやプリンタへの撮影画像の転送を開始させるためのボタンである。
【００４４】
ＵＳＢコネクタ３０８は、パソコンやプリンタ等の外部機器とクレイドルＣとを接続するＵＳＢケーブルを挿入する機能部であり、電源コネクタ３１０は、ＡＣアダプタの端子を挿入する機能部である。
【００４５】
デジカメ固定ピン３１２及び３１４は、図２（ｂ）及び（ｃ）に示すように、クレイドルＣの背面側に傾斜するように設けられる。このデジカメ固定ピン３１２及び３１４をデジタルカメラＤの固定ピン挿入孔１２２及び１２４に挿入すると、図３（ｂ）のように、デジタルカメラＤの背面側、即ち、ディスプレイ１０２が設けられた側が、クレイドルＣの正面側を向き、デジタルカメラＤとクレイドルＣが接続・固定される。
【００４６】
図３は、デジタルカメラＤをクレイドルＣに載置・接続した充電システムＳを、クレイドルＣの底面を下に向けて水平面Ｆに転置することで、デジタルカメラＤが縦方向になるように「縦置き」した場合の概観の一例であり、図３（ａ）はクレイドルＣの左側面から見た図、同図（ｂ）は正面から見た図である。
【００４７】
上述したようにデジカメ固定ピン３１２及び３１４が傾いているため、図３（ｂ）に示すように、デジタルカメラＤの背面Ｆｄが、鉛直方向に対して約１０度傾斜した状態でクレイドルＣ上に固定される。
【００４８】
図４は、クレイドルＣの右側面を下に向けて水平面Ｆに転置することで、デジタルカメラＤが横方向になるように「横置き」した場合の概観の一例であり、図４（ａ）は、クレイドルＣの底面側から見た図、同図（ｂ）はクレイドルＣの正面から見た図である。
【００４９】
上述したようにクレイドルＣは略台形に形成されているため、図４（ｂ）に示すように、クレイドルＣの正面Ｆｃ及びデジタルカメラＤの背面Ｆｄ側が、鉛直方向に対して約２５度傾斜した状態で設置される。
【００５０】
図５は、充電システムＳの機能構成の一例を示すブロック図である。先ず、デジタルカメラＤの機能構成について説明する。
【００５１】
〔デジタルカメラの構成〕
同図によれば、デジタルカメラＤは、制御部１と、画像処理部３と、メモリ５と、プレビューエンジン７と、表示部１１及び発光素子Ｌ１を制御するドライバ９と、接続検出部１３と、充電池１５の充電や各機能部へ対する電圧供給を制御する電圧供給制御部１７と、キー操作部１９と、撮像部２１と、コネクタ１２０とがバスＢ１に接続されて構成されている。
【００５２】
制御部１は、入力される指示に応じて所定のプログラムに基づいた処理を実行し、各機能部への指示やデータの入出力を行い、ＣＰＵやプログラムメモリ、ＲＡＭ等により構成される。  具体的に、制御部１は、キー操作部１９から入力される操作信号に応じてプログラムを読み出し、当該プログラムに従った処理を実行する。そして、処理結果を表示するための表示データを適宜ドライバ９に出力して、当該表示データに基づいて処理結果を表示部１１に表示させる。
【００５３】
画像処理部３は、コントラスト補正やガンマ補正、シャープネス補正、ノイズ除去等の画像処理を施す機能部であり、撮像部２１により撮影された画像に画像処理を施して表示部１１に表示させたり、メモリ５に記憶された撮影画像に画像処理を施して、当該撮影画像を更新したりする。
【００５４】
メモリ５は、読み書き可能な不揮発性メモリであり、撮像部２１により撮影された撮影画像の画像データ（メディアファイル）を蓄積記憶する。尚、このメモリ５は、デジタルカメラＤに内蔵されるものでもよいし、デジタルカメラＤに着脱可能なものでもよい。
【００５５】
プレビューエンジン７は、メモリ５に記憶された撮影画像を表示部１１にプレビュー表示させるための画像処理を行う機能部である。プレビューエンジン７は、ユーザにより選択された撮影画像やアルバムモードにおいて一定期間おきに表示させる撮影画像をメモリ５から読み出す。そして、その読み出した撮影画像を、表示部１１の表示領域内に収まるように画像処理した後に表示部１１に表示させる。
【００５６】
表示部１１は、図１のディスプレイ１０２に相当する表示装置であり、ＬＣＤやＥＬＤ等で構成される。発光素子Ｌ１は、ＬＥＤ等で構成される表示灯であり、デジタルカメラＤの動作モードに応じた表示色で点灯し、電源が切られた際には消灯する。ドライバ９は、表示部１１に撮影画像や各種情報を表示させ、また、発光素子Ｌ１を点灯、点滅及び消灯させる制御を行う。
【００５７】
接続検出部１３は、デジタルカメラＤのコネクタ１２０と、クレイドルＣのコネクタ３０６とが接続したことを電気的に検出するための機能部である。接続検出部１３は、当該接続を検出すると、接続検出信号を制御部１に出力する。
【００５８】
デジタルカメラＤの電源が投入されていない場合、制御部１及び接続検出部１３は、低電力で駆動して、コネクタ１２０とクレイドルＣのコネクタ３０６との接続検出を行う。制御部１は、接続検出部１３から接続検出信号が入力された場合は、電圧供給制御部１７を制御して、充電池１５の充電を開始する。このとき、クレイドルＣから、コネクタ３０６及び１２０を介して電圧供給される。
【００５９】
キー操作部１９は、プログラムの実行や、各種情報等の入力に必要なキー群を備えた入力装置であり、ユーザによって押下されたキーの押下信号を制御部１に出力する。
【００６０】
撮像部２１は、撮影レンズ１００を介して被写体を露光・撮影する機能部であり、ＣＣＤ（撮像素子）２１０、Ａ／Ｄ変換部２１２及びＤＳＰ（Digital Signal Processor）２１４を備えて構成される。ＣＣＤ２１０は、撮影レンズ１００を透過した光を受光し、電気信号に変換する撮像素子である。ＣＣＤ２１０が出力した電気信号は、Ａ／Ｄ変換部２１２によってデジタル信号に変換され、ＤＳＰ２１４によって復調等のデジタル処理が施される。これにより、撮影レンズ１００を透過した被写体の像の撮影画像が得られる。
【００６１】
この撮像部２１が撮影する撮影画像は、リアルタイムで表示部１１に表示させることで、ファインダー画像の表示が実現される。また、ユーザによりシャッターキー１０４が押下された際には、その押下時の撮影画像をメモリ５に記憶させて保存する。
【００６２】
発光制御部２３は、フラッシュＬ３の発光を制御する機能部である。制御部１は、ユーザのシャッターキー１０４の押下を検知した場合には、発光制御部２３を制御してフラッシュＬ３を瞬間的に発光させる。
【００６３】
〔クレイドルの構成〕
次に、クレイドルＣの機能構成について説明する。クレイドルＣは、図５に示すように制御部３１と、キー操作部３３と、角度センサー３５と、外部コネクタ３７と、ＡＣ／ＤＣ変換器３９とがバスＢ３に接続されて構成されている。
【００６４】
制御部３１は、キー操作部３３から入力される操作信号に応じて所定のプログラムに基づいた処理を実行し、各機能部への指示やデータの入出力を行い、ＣＰＵやプログラムメモリやＲＡＭ等により構成される。
【００６５】
キー操作部３３は、図２（ａ）に示したフォトボタン３００、切替ボタン３０２及びＵＳＢボタン３０４を有して構成される入力装置であり、ユーザによって押下されたキーの押下信号を制御部３１に出力する。
【００６６】
外部コネクタ３７は、パソコンやプリンタ等の外部機器とデータ通信を行うための機能部であり、図２（ｂ）に示したＵＳＢコネクタ３０８に相当するものである。ＡＣ／ＤＣ変換器３９は、電源コネクタ３１０を介して入力されたＡＣ電圧をＤＣ電圧に変換してクレイドルＣに電圧供給すると共に、コネクタ３０６を介してデジタルカメラＤに電圧供給する。
【００６７】
角度センサー３５は、例えば、歪みゲージ式、 動電式、静電容量型等の加速度センサーや震動ジャイロ等により構成される３次元角度を検出する機能部である。角度センサー３５は、重力の方向を検知することにより、クレイドルＣの中心軸Ｐｚの軸方向と重力方向とのなす角を傾斜角度として検出する。そして、その傾斜角度に応じた電圧値を検出情報として制御部３１に出力する。制御部３１は、角度センサー３５から出力された検出情報に基づいて、クレイドルＣの傾斜角度を取得して、デジタルカメラＤに出力する。尚、クレイドルＣの傾斜角度を検出する方法は上述した方法に限らず、適宜公知技術を採用してよい。
【００６８】
デジタルカメラＤの制御部１は、接続検出部１３により当該デジタルカメラＤとクレイドルＣとが接続されていると判別した場合に、クレイドルＣから出力される傾斜角度を取得し、その傾斜角度からクレイドルＣの転置方向を判別する。そして、制御部１は、その判別した転置方向に基づいて動作モードの切り替えを行う。
【００６９】
〔充電システムの動作例〕
次に、図７の充電システムＳの設置例を参照しながら、充電システムＳの具体的な動作を図６のフローチャートを用いて説明する。
【００７０】
先ず、デジタルカメラＤの接続検出部１３は、デジタルカメラＤのコネクタ１２０と、クレイドルＣのコネクタ３０６との接続を検出すると、接続検出信号を制御部１に出力する（ステップＳ１）。そして、コネクタ１２０及び３０６を介してクレイドルＣから供給されるＤＣ電圧で充電池１５の充電を開始する（ステップＳ３）。
【００７１】
一方、クレイドルＣの制御部３１は、コネクタ３０６と、デジタルカメラＤのコネクタ１２０との接続を検出すると（ステップＴ１）、角度センサー３５により検出された傾斜角度をコネクタ３０６を介してデジタルカメラＤに出力する（ステップＴ３）。
【００７２】
例えば、図７（ａ）に示すようにデジタルカメラＤが接続されたクレイドルＣが縦置きされている場合、クレイドルＣの中心軸Ｐｚの軸方向と、重力方向は略同一であるから、角度センサー３５は傾斜角度を０度と検出する。
【００７３】
また、図７（ｂ）に示すようにクレイドルＣ及びデジタルカメラＤが横置きされた場合、クレイドルＣの中心軸Ｐｚの軸方向と、重力方向や略直角になるから、角度センサー３５は傾斜角度を９０度と検出する。
【００７４】
デジタルカメラＤの制御部１は、クレイドルＣから出力された傾斜角度から、転置方向を判別する（ステップＳ５）。具体的には、傾斜角度が０度以上、４５度未満の間の値であった場合、転置方向が縦方向であると判別し、４５度以上、９０度未満の間であった場合、転置方向が横方向であると判別する。
【００７５】
制御部１は、転置方向が縦方向であると判別した場合（ステップＳ５；縦方向）、充電池１５の充電を継続する。このため、デジタルカメラＤの電源が切られている場合には、図７（ａ）に示すように表示部１１は消灯したまま充電が行われる。
【００７６】
一方、横方向であると判別した場合（ステップＳ５；横方向）、制御部１は、充電池１５の充電を継続したまま、メモリ５及び表示部１１を駆動し、メモリ５に記憶された撮影画像を一定期間おきに読み出して表示部１１に順次表示させる（ステップＳ７）。このため、図７（ｂ）に示すように、デジタルカメラＤはアルバムモードで起動して、撮影画像がスライドショー形式で表示されるようになる。
【００７７】
以上、第１実施形態によれば、検出した傾斜角度に基づいて、デジタルカメラＤとクレイドルＣが接続さえた充電システムＳの転置方向を判別し、転置方向が横方向であれば、アルバムモードで撮影画像を表示する。このため、ユーザは、デジタルカメラＤをクレイドルＣに載置した際に、メニューキー１１６やカーソルキー１１４、ジョグダイヤル１１０のボタン操作をすることなくアルバムモードに切り替えることができる。また、充電システムＳを縦置きから横置きにするという感覚的な動作で簡単に撮影画像の閲覧を開始することができる。
【００７８】
〔第２実施形態〕
次に、図８〜１２を参照して、第２実施形態における充電システムＳａについて説明する。第２実施形態における充電システムＳａは、中心軸Ｐｚに対するクレイドルＣの傾斜角度と、Ｙ方向の中心軸Ｐｙに対するクレイドルＣの傾斜角度とを検出して、これらの傾斜角度によってデジタルカメラＤａの動作モードを切り替えるものである。尚、上述した第１実施形態の充電システムＳと同一の構成の要素には、同一の符号を付してその詳細な説明を省略する。
【００７９】
第２実施形態におけるデジタルカメラＤａの動作モードには、上述したアルバムモードの他に、テレビモードと、電波時計モードとがある。テレビモードは、クレイドルＣａによって受信されたテレビ放送を表示出力及び音声出力するモードであり、電波時計モードは、クレイドルＣａによって計時されている現在時刻を表示するモードである。
【００８０】
図８は、第２実施形態におけるクレイドルＣａの概観図である。同図によれば、クレイドルＣａは、フォトボタン３００と、切替ボタン３０２と、ＵＳＢボタン３０４と、コネクタ３０６と、ＵＳＢコネクタ３０８と、電源コネクタ３１０と、デジカメ固定ピン３１２及び３１４と、支持脚３２０とを備えて構成されている。
【００８１】
支持脚３２０は、例えば、クレイドルＣａの本体と同一の部材によって板状に形成されものであり、ネジ３２２を回転軸として回動可能なように、当該ネジ３２２を介してクレイドルＣａ本体の底面に設けられている。この支持脚３２０は、充電システムＳａを横置きにした際に、図９に示すようにクレイドルＣａの背面側から支える脚として働く。
【００８２】
支持脚３２０のクレイドルＣａ本体に対する回転角に応じて、クレイドルＣａのＹ方向の中心軸Ｐｙと、重力方向とのなす角は変動する。第２実施形態における充電システムＳａは、この支持脚３２０の回転角に応じて変動するクレイドルＣａの中心軸Ｐｙの傾斜角度に応じて動作モードを切り替えられ、例えば、図９の位置Ｐ１まで支持脚３２０を回転させて充電システムＳａを水平面Ｆに設置した場合はアルバムモード、位置Ｐ２まで回転させた場合は電波時計モード、位置Ｐ３まで回転させた場合はテレビモードに切り替わる。
【００８３】
図１０は、充電システムＳａの機能構成の一例を示すブロック図である。クレイドルＣａ  は、同図に示すように、クロック時計部ＣＫを有する制御部３１ａと、キー操作部３３と、角度センサー３５ａと、外部コネクタ３７と、ＡＣ／ＤＣ変換器３９と、ＯＦＤＭ（Orthogonal Frequency Division Multiplexing：直交周波数分割多重方式）復調回路４１により復調されたテレビ放送の信号処理を行う第１信号処理部４３と、第２アンテナＡＮＴ３を介して受信した長波標準電波（以下、単に「標準電波」という。）の信号処理を行う第２信号処理部４５とがバスＢ３に接続されて構成されている。
【００８４】
角度センサー３５ａは、重力方向に対する中心軸Ｐｚの傾斜角度の検出と、中心軸Ｐｙの傾斜角度の検出とを行う。そして、それぞれの傾斜角度に応じた電圧値を検出情報として制御部３１ａに出力する。制御部３１ａは、角度センサー３５ａから出力された検出情報に基づいて、クレイドルＣａの中心軸Ｐｚ及びＰｙの傾斜角度を取得して、デジタルカメラＤａに出力する。
【００８５】
ＯＦＤＭ復調回路４１は、第１アンテナＡＮＴ１を介して受信したデジタルテレビ放送のＯＦＤＭ変調信号を復調する回路部である。ＯＦＤＭ変調信号を復調する方法は公知であるが、簡単に説明すると、次のようになる。即ち、ＯＦＤＭ復調回路４１は、受信したＯＦＤＭ変調信号をＡ／Ｄ変換し、その変換した信号に対して、同調処理、ＦＦＴ演算（Fast Fourier Transform）、誤り訂正処理を実行することによりＴＳ（Transport Stream：トランスポート・ストリーム）を抽出する。
【００８６】
第１信号処理部４３は、ＯＦＤＭ復調回路４１により抽出されたＴＳから映像データと音声データとを分離する信号処理を行う。その抽出された映像データ及び音声データは、制御部３１ａの制御に基づいてデジタルカメラＤａにコネクタ３０６を介して出力される。
【００８７】
尚、第１信号処理部は、映像データ及び音声データの他に、ＥＰＧ（Electronic Program Guide：電子番組ガイドデータ）をＴＳから抽出することとしてもよく、これにより、テレビモードにおいてテレビ映像の他にテレビ番組名やチャンネル数を表示することができる。
【００８８】
第２信号処理部４５は、第２アンテナＡＮＴ３を介して受信した時刻コード（時刻情報）入り標準電波に各種信号処理を施して、時刻コードを抽出する回路部である。具体的には、受信した標準電波の増幅、不要な周波数成分をカットするフィルタリング、Ａ／Ｄ変換及び復調を行うことで、クロック時計部ＣＫの時刻計時に必要な標準時刻コード、積算日コード及び曜日コード等のデータを含む時刻コードを抽出する。第２信号処理部４５は、この抽出した時刻コードを制御部３１ａに出力する。
【００８９】
クロック時計部ＣＫは、現在時刻の計時を行って、コネクタ３０６を介して当該現在時刻をデジタルカメラＤａに出力する回路部であり、水晶発振器等を備えて構成される。また、クロック時計部ＣＫは、第２信号処理部４５によって抽出された時刻コードに基づいて、その計時している現在時刻の修正を行う。
【００９０】
デジタルカメラＤａは、図１０に示すように、制御部１と、画像処理部３と、メモリ５と、ドライバ９ａと、接続検出部１３と、電圧供給制御部１７と、キー操作部１９と、撮像部２１と、コネクタ１２０とがバスＢ１に接続されて構成されている。
【００９１】
ドライバ９ａは、第１実施形態と同様に、表示部１１及び発光素子Ｌ１の表示制御を行うが、第２実施形態では、クレイドルＣａから出力されたテレビ放送の映像データに基づいたテレビ映像を表示部１１に表示させ、また、音声データに基づいたテレビ音声をスピーカＳＰ１から出力させる。
【００９２】
次に、図１２の充電システムＳａの設置例を参照しながら、充電システムＳａの具体的な動作を図１１のフローチャートを用いて説明する。尚、図６に示すフローチャートと同一の処理ステップには、同一のステップ番号を付してその詳細な説明を省略する。
【００９３】
先ず、デジタルカメラＤａの接続検出部１３がクレイドルＣのコネクタ３０６との接続を検出すると、充電池１５への充電が開始される（ステップＳ１〜Ｓ３）。クレイドルＣａの制御部３１ａは、デジタルカメラＤのコネクタ１２０との接続を検出すると、角度センサー３５ａにより検出された中心軸Ｐｙ及び中心軸Ｐｚの傾斜角度をデジタルカメラＤに出力する（ステップＴ１〜Ｔ５）。
【００９４】
デジタルカメラＤの制御部１は、クレイドルＣから出力された中心軸Ｐｚの傾斜角度から、転置方向を判別し（ステップＳ５）、縦方向であると判別した場合（ステップＳ５；縦方向）、充電池１５の充電を継続する。
【００９５】
一方、横方向であると判別した場合（ステップＳ５；横方向）、制御部１は、クレイドルＣから出力された中心軸Ｐｙの傾斜角度に基づいて動作モードを選択する（ステップＳ１１）。例えば、中心軸Ｐｙの傾斜角度が０度以上、５０度未満である場合は電波時計モード、５０度以上、７０度未満である場合はアルバムモード、７０度以上、９０度未満である場合はテレビモードといったように選択する。
【００９６】
制御部１は、中心軸Ｐｙの傾斜角度に基づいてアルバムモードを選択した場合（ステップＳ１１；アルバム）、メモリ５に記憶された撮影画像を一定期間おきに読み出して、表示部１１に順次表示させる（ステップＳ１３）。また、テレビモードを選択した場合（ステップＳ１５；テレビ）、クレイドルＣａにテレビ放送の受信開始を要求する（ステップＳ１５）。
【００９７】
このとき、クレイドルＣａの制御部３１ａは、ＯＦＤＭ復調回路４１及び第１信号処理部４３を駆動して、テレビ放送（ＯＦＤＭ変調信号）の受信を開始して、映像データ及び音声データをデジタルカメラＤａに出力する（ステップＴ７→Ｔ９）。
【００９８】
デジタルカメラＤａの制御部１は、クレイドルＣａから出力される映像データに基づいたテレビ映像を表示部１１に表示出力させ（ステップＳ１７）、更に、音声データに基づいたテレビ音声をスピーカＳＰ１から音声出力させる（ステップＳ１９）。
【００９９】
また、電波時計モードを選択した場合（ステップＳ１５；電波時計）、クレイドルＣａに標準電波の受信開始を要求する（ステップＳ２１）。このとき、クレイドルＣａの制御部３１ａは、第２信号処理部４５を駆動して、標準電波の受信を開始して、クロック時計部ＣＫが計時する現在時刻を修正しながら、その現在時刻をデジタルカメラＤａに出力する（ステップＴ１１→Ｔ１３）。デジタルカメラＤａの制御部１は、クレイドルＣａから出力される現在時刻を表示部１１に表示させる（ステップＳ２３）。
【０１００】
以上、第２実施形態によれば、充電システムＳａが横置きにされた場合には、中心軸Ｐｙの傾斜角度によってデジタルカメラＤａの動作モードを切り替えることができる。このため、例えば、支持脚３２０を位置Ｐ１まで回転させて充電システムＳａを設置した場合は、図１２（ａ）に示すようにディスプレイ１０２にテレビ放送が表示され、支持脚３２０を位置Ｐ３まで回転させると、図１２（ｂ）のように現在時刻が表示されるようになる。従って、ユーザは、メニューキー１１６等のボタン操作を行うことなく、単に支持脚３２０を回転させて、充電システムＳａを転置するだけでデジタルカメラＤａの動作モードを切り替えることができる。
【０１０１】
また、デジタルカメラＤａに、テレビ放送や標準電波を受信する回路部を設ける必要がないため、小型化及び軽量化を保ったまま、デジタルカメラＤａに付加価値を与えることができる。また、デジタルカメラＤａを使用しない場合には、電波時計モードに切り替えておくことで、デジタルカメラＤａの不使用時にも効果的な利用が可能である。
【０１０２】
尚、支持脚３２０を用いて中心軸Ｐｚの傾斜角度を変動可能にしたが、例えば、一般的な写真立ての背面に設けられた段階的な角度変更が可能な衝立をクレイドルＣａの背面に設けることとしてもよく、傾斜角度を変動可能にするための機構には適宜公知技術を採用してよい。
【０１０３】
また、上述したデジタルカメラＤは、転置方向が縦方向であると判別した場合は充電のみを行うこととしたが、次のようにしてもよい。即ち、転置方向が縦方向であると判別した場合に、デジタルカメラＤを縦方向にして撮影された撮影画像（縦画像）をメモリ５から読み出して表示部１１に順次表示し、転置方向が横方向であると判別した場合に、横方向にして撮影された撮影画像（横画像）を表示する。
【０１０４】
このため、縦画像を表示させる際には充電システムＳを縦置きし、横画像を表示させる際には充電システムＳを横置きするといったように、画像の撮影方向に応じて転置方向を変えるだけで、縦画像及び横画像の何れかを表示させることができる。尚、撮影画像を予め縦画像及び横画像毎に分類してメモリ５に記憶しておくことで、縦画像のみをメモリ５から読み出したり、横画像のみを読み出したりすることができる。
【０１０５】
〔第３実施形態〕
次に、第３実施形態の充電システムＳｂを、図１３〜１５を参照して説明する。充電システムＳｂのクレイドルＣｂは、図１３に示すように、音声信号をＡＶ端子４９に出力するＤ／Ａコンバータ４７を図５に示したクレイドルＣに更に備えた構成であるため、第１実施形態の充電システムＳと同一の構成要素には同一の符号を付してその説明を省略する。
【０１０６】
Ｄ／Ａコンバータ４７は、デジタルカメラＤｂから出力された音声データをＤ／Ａ変換する回路部である。ＡＶ端子４９は、Ｄ／Ａコンバータ４７から入力された音声信号（アナログ信号）を、図１５に示す外部スピーカＳＰ３に出力して音声出力させる。ＡＶ端子４９は、外部スピーカＳＰ３のケーブルＣＢの接続端子ＴＭが挿入可能に形成され、例えば、ＲＣＡ端子やコンポーネント端子等により構成される。
【０１０７】
第３実施形態におけるデジタルカメラＤｂの動作モードには、撮像部２１により撮影された動画像（以下、「撮影動画」という。）の再生を行う動画モードがある。デジタルカメラＤｂは、撮影した動画像を、例えば、ＭＰＥＧ（Moving Picture Experts Group）形式の動画データにＤＳＰ１９によって変換した後、メモリ５に撮影動画として記憶する。
【０１０８】
制御部１は、動作モードが動画モードに切り替えられた際には、撮影動画から映像データと、音声データとを抽出する。そして、その抽出した映像データは、ドライバ９を介して表示部１１に出力して映像表示させ、音声データは、コネクタ１２０を介してクレイドルＣｂに出力する。
【０１０９】
充電システムＳｂのデジタルカメラＤｂは、接続検出部１３がクレイドルＣｂのコネクタ３０６との接続を検出すると、充電池１５への充電を開始する（ステップＳ１〜Ｓ３）。そして、クレイドルＤｂから出力される傾斜角度から転置方向を判別する（ステップＳ５）。
【０１１０】
制御部１は、転置方向が横方向であると判別した場合（ステップＳ５；横方向）、メモリ５に記憶されている撮影動画を読み出して、当該撮影動画から音声データを抽出してクレイドルＣｂに出力する（ステップＳ３１）。そして、撮影動画中の映像データに基づいた映像を表示部１１に表示出力させる（ステップＳ３３）。
【０１１１】
一方、クレイドルＣｂの制御部３１は、傾斜角度の検出後、デジタルカメラＤｂから出力される音声データを取得して（ステップＴ３〜Ｔ３１）、当該音声データに基づいた音声を外部スピーカＳＰ３から音声出力させる（ステップＴ３３）。
【０１１２】
以上、第３実施形態によれば、充電システムＳを横置きするだけで、図１５のように撮影動画が表示されると共に、外部スピーカＳＰ３から撮影動画の音声が出力されるため、例えば、メニュ画面を表示させて、撮影動作の再生を開始するといった面倒な操作をする必要がない。
【０１１３】
また、スピーカを備えないデジタルカメラＤｂにおいても、クレイドルＣｂに接続することで、撮影動画の音声を聞くことができ、外部スピーカＳＰ３の仕様は、ユーザの好みに応じて選択できるため、音質・音量の向上が図ることもできる。
【０１１４】
尚、デジタルカメラＤｂで再生するメディアファイルは、撮影動画だけではなく、例えば、クレイドルＣｂの外部コネクタ３７を介してパソコンやインターネット上から取得した動画データでもよく、これにより、再生可能な動画の幅が広がる。この場合、デジタルカメラＤｂの制御部１は、動画データをクレイドルＣｂから取得してメモリ５に一旦記憶してから再生を行う。
【０１１５】
また、例えば、ＭＰ３形式の音楽データをメモリ５に記憶して、当該音楽データの再生を行うこととしてもよく、当該音楽データに基づいてグラフィックイコライザを表示部１１に表示させてもよい。また、メモリ５の他に、ハードディスク等の大容量の記憶装置をデジタルカメラＤｂに設けることで、再生表示可能なメディアファイルの幅が広がる。
【０１１６】
〔第４実施形態〕
次に、第４実施形態の充電システムＳｃを、図１６〜１８を参照して説明する。充電システムＳｃのクレイドルＣｃは、図１６に示すように、クロック時計部ＣＫを有する制御部３１ｃと、キー操作部３３と、角度センサー３５ａと、外部コネクタ３７と、ＡＣ／ＤＣ変換器３９と、アンテナＡＮＴ５を介して受信した標準電波の信号処理を行う信号処理部４５ｃとがバスＢ３に接続されて構成されている。
【０１１７】
アンテナＡＮＴ５及び信号処理部４５は、第２実施形態で説明した図１０の第２アンテナＡＮＴ３及び第２信号処理部４５と同一の機能を有するものであり、他の構成要素は、第１実施形態の充電システムＳの構成要素と同一であるため、その説明を省略する。
【０１１８】
デジタルカメラＤｃの制御部１は、クレイドルＣｃとの接続を検出すると、充電池１５の充電を開始する（ステップＳ１〜Ｓ３）。このとき、クレイドルＣｃの制御部３１は、角度センサー３５によって検出された傾斜角度をデジタルカメラＤｃに出力する（ステップＴ３）。そして、標準電波の受信を開始して、取得した時刻コードに基づいて現在時刻の計時を行いつつ、当該現在時刻をデジタルカメラＤｃに出力する。
【０１１９】
一方、デジタルカメラＤｃの制御部１は、転置方向を判別して縦方向であると判別すると（ステップＳ５；縦方向）、クレイドルＣｃから出力される現在時刻を縦置き用の時刻表示として、図１８（ａ）に示すように現在時刻の時間Ｈ１及び分Ｍ１と曜日Ｄ１とを縦方向に表示させる（ステップＳ４１）。即ち、充電システムＳｃは、縦置きの際には電波時計モードとして機能する。
【０１２０】
また、転置方向が横方向であると判別した場合（ステップＳ５；横方向）、制御部１は、現在時刻を横置き用の時刻表示として、図１８（ｂ）に示すように現在時刻の時間Ｈ３及び分Ｍ３と曜日Ｄ３とを横方向に表示させ（ステップＳ４３）、その時刻表示の下方に、メモリ５に記憶されている撮影画像ＰＣを読み出して順次表示させる（ステップＳ４５）。即ち、充電システムＳｃは、横置きの際には電波時計モードとアルバムモードの両機能を実現することとなる。
【０１２１】
以上、第４実施形態によれば、転置方向が横方向であれば現在時刻をディスプレイ１０２に対して横方向に表示し、縦方向であれば縦方向に表示する。このため、ユーザは、電波時計モードとして充電システムＳｃを使用する場合、現在時刻の表示を縦方向にするか横方向にするかの設定を行うことなく、単に充電システムＳｃを縦置き又は横置きするだけでよい。また、充電システムＳｃを横置きすることで、アルバムモードとしても機能するため、現在時刻と共に、撮影画像を閲覧することもできる。
【０１２２】
尚、転置方向が横方向であった場合には、現在時刻と共に撮影画像を表示することとしがた、その組み合わせは変更可能であり、例えば、現在時刻とテレビ放送とを同時表示したり、現在時刻と撮影動画とを同時表示したりしてもよい。
【０１２３】
また、転置方向に基づいて切り替える表示部１１の表示態様は、上述した実施形態の一例に限られるものではない。例えば、転置方向が横方向の際に切り替える動作モードを、アルバムモード、テレビモード、電波時計モード及び動画モードの何れか予め設定しておき、充電システムが横置きされた際には、その設定された動作モードに切り替えることとしてもよい。また、転置方向が縦方向のときにも、アルバムモード、テレビモード、電波時計モード及び動画モードの何れかが起動するようにしてもよい。
【０１２４】
また、例えば、クレイドルに温度センサーや湿度センサー等の各種センサーを設けて、そのセンサーにより検出された温度や湿度などをデジタルカメラに表示させることとしてもよい。また、クレイドルに現在位置を測位するＧＰＳ（Global Positioning System）受信機を設けて、インターネットを介して現在位置の天気や交通情報等を取得して表示することとしてもよい。このように、充電システムＳで表示する情報は、上述した実施形態の一例に限られるものではない。
【０１２５】
また、本実施形態では、デジタルカメラを電子機器の適用例として説明したが、このような製品に限定されず、表示部を備えた携帯電話やＰＤＡ、携帯型の音楽プレーヤー等、他の電子機器に適用可能である。
【図面の簡単な説明】
【０１２６】
【図１】デジタルカメラの（ａ）は正面図、（ｂ）は左側面図、（ｃ）は右側面図、（ｄ）は上面図、（ｅ）は底面図、（ｆ）は背面図の一例。
【図２】クレイドルの（ａ）は正面図、（ｂ）は左側面図、（ｃ）は右側面図、（ｄ）は上面図、（ｅ）は底面図、（ｆ）は背面図の一例。
【図３】充電システムを縦置きした場合の概観図。
【図４】充電システムを横置きした場合の概観図。
【図５】第１実施形態における充電システムの機能構成の一例を示すブロック図。
【図６】第１実施形態における充電システムの動作を説明するためのフローチャート。
【図７】第１実施形態における充電システムの動作例。
【図８】第２実施形態におけるクレイドルの（ａ）は正面図、（ｂ）は左側面図、（ｃ）は右側面図、（ｄ）は上面図、（ｅ）は底面図、（ｆ）は背面図の一例。
【図９】第２実施形態におけるクレイドルの支持脚の構成を説明するための図。
【図１０】第２実施形態における充電システムの機能構成の一例を示すブロック図。
【図１１】第２実施形態における充電システムの動作を説明するためのフローチャート。
【図１２】第２実施形態における充電システムの動作例。
【図１３】第３実施形態における充電システムの機能構成の一例を示すブロック図。
【図１４】第３実施形態における充電システムの動作を説明するためのフローチャート。
【図１５】第３実施形態における充電システムの動作例。
【図１６】第４実施形態における充電システムの機能構成の一例を示すブロック図。
【図１７】第４実施形態における充電システムの動作を説明するためのフローチャート。
【図１８】第４実施形態における充電システムの動作例。
【符号の説明】
【０１２７】
Ｓ        充電システム
Ｄ        デジタルカメラ（電子機器）
１        制御部（判別手段、表示制御手段、メディア表示制御手段、時刻表示制御手段、時刻切替表示手段、放送表示制御手段、表示切替制御手段、傾斜角切替制御手段）
３        画像処理部
５        メモリ（記憶手段、撮像画像記憶手段）
７        プレビューエンジン
９        ドライバ
１１      表示部（表示手段）
１３      接続検出部（検出手段）
１５      充電池
２１      撮像部（撮像手段）
Ｃ        クレイドル
３１      制御部
３５      角度センサー（角度検出手段）
ＡＮＴ１  第１アンテナ（放送受信手段）
４１      ＯＦＤＭ復調回路
４３      第１信号処理部
ＡＮＴ３  第２アンテナ（時刻情報受信手段）
４５      第２信号処理部
ＣＫ      クロック時計部
【図１】
2006320063.tif 000003
【図２】
2006320063.tif 000004
【図３】
2006320063.tif 000005
【図４】
2006320063.tif 000006
【図５】
2006320063.tif 000007
【図６】
2006320063.tif 000008
【図７】
2006320063.tif 000009
【図８】
2006320063.tif 000010
【図９】
2006320063.tif 000011
【図１０】
2006320063.tif 000012
【図１１】
2006320063.tif 000013
【図１２】
2006320063.tif 000014
【図１３】
2006320063.tif 000015
【図１４】
2006320063.tif 000016
【図１５】
2006320063.tif 000017
【図１６】
2006320063.tif 000018
【図１７】
2006320063.tif 000019
【図１８】
2006320063.tif 000020